(57)【特許請求の範囲】
【請求項１】
モバイル装置と通信する通信部と，
操作画面を表示する表示部と，
画像処理を行う画像処理部と，
制御部と，
を備え，
前記制御部は，
前記画像処理に対する操作を受け付ける第１の操作画面を，前記表示部に表示させる第１表示処理と，
前記モバイル装置と通信を行う際，前記画像処理に対する操作のうち，特定の処理に対する操作を制限し，前記特定の処理以外の処理に対する操作を受け付ける第２の操作画面を，前記モバイル装置に表示させる第２表示処理と，
前記第２の操作画面を前記モバイル装置が表示中，前記第１の操作画面のうち，前記特定の処理以外の処理に対する操作を制限し，前記特定の処理に対する操作を制限しない制限処理と，
を実行することを特徴とする画像処理装置。
【請求項２】
請求項１に記載する画像処理装置において，
前記制御部は，
前記第２表示処理では，前記特定の処理に対する操作を非表示とすることで，前記特定の処理に対する操作を制限することを特徴とする画像処理装置。
【請求項３】
請求項１または請求項２に記載する画像処理装置において，
前記制御部は，
前記第１の操作画面をユーザが操作中，前記第２表示処理を実行しないことを特徴とする画像処理装置。
【請求項４】
請求項１から請求項３のいずれか１つに記載する画像処理装置において，
前記制御部は，
前記モバイル装置と通信を行う際，前記モバイル装置との距離が閾値よりも長いか否かを判断する判断処理と，
前記判断処理にて閾値よりも長くないと判断された場合に，前記特定の処理に対する操作を制限しない第３の操作画面を，前記モバイル装置に表示させる第３表示処理と，
を実行し，
前記判断処理にて閾値よりも長いと判断された場合に，前記第２表示処理を実行することを特徴とする画像処理装置。
【請求項５】
請求項１から請求項４のいずれか１つに記載する画像処理装置において，
前記画像処理には，原稿の画像を読み取る読取処理が含まれ，
前記特定の処理には，前記読取処理を伴う処理が含まれることを特徴とする画像処理装置。
【請求項６】
請求項１から請求項５のいずれか１つに記載する画像処理装置において，
前記画像処理には，記録紙に画像を形成する印刷処理が含まれ，
前記特定の処理には，前記印刷処理を伴う処理が含まれることを特徴とする画像処理装置。
【請求項７】
請求項１から請求項６のいずれか１つに記載する画像処理装置において，
前記画像処理には，画像データを外部装置に送信する送信処理が含まれ，
前記特定の処理以外の処理には，前記送信処理の操作が含まれることを特徴とする画像処理装置。
【請求項８】
画像処理装置とモバイル装置とを備える画像処理システムの表示方法であって，
前記画像処理装置が実行する画像処理に対する操作を受け付ける第１の操作画面を，前記画像処理装置に表示させる第１表示ステップと，
前記画像処理装置と前記モバイル装置とが通信を行う際，前記画像処理に対する操作のうち，特定の処理に対する操作を制限し，前記特定の処理以外の処理に対する操作を受け付ける第２の操作画面を，前記モバイル装置に表示させる第２表示ステップと，
前記第２の操作画面を前記モバイル装置が表示中，前記第１の操作画面のうち，前記特定の処理以外の処理に対する操作を制限し，前記特定の処理に対する操作を制限しない制限ステップと，
を含むことを特徴とする表示方法。
【請求項９】
モバイル装置と通信する通信部と，
操作画面を表示する表示部と，
画像処理を行う画像処理部と，
を備える画像処理装置に，
前記画像処理に対する操作を受け付ける第１の操作画面を，前記表示部に表示させる第１表示処理と，
前記モバイル装置と通信を行う際，前記画像処理に対する操作のうち，特定の処理に対する操作を制限し，前記特定の処理以外の処理に対する操作を受け付ける第２の操作画面を，前記モバイル装置に表示させる第２表示処理と，
前記第２の操作画面を前記モバイル装置が表示中，前記第１の操作画面のうち，前記特定の処理以外の処理に対する操作を制限し，前記特定の処理に対する操作を制限しない制限処理と，
を実行させるプログラムを記憶することを特徴とする記憶媒体。
【発明の詳細な説明】
【技術分野】
【０００１】
本発明は，画像処理装置，モバイル装置，表示方法，および記憶媒体に関する。さらに詳細には，画像処理装置ないしモバイル装置の操作画面を表示する技術に関するものである。
【背景技術】
【０００２】
近年，スマートフォンやタブレットＰＣ等のモバイル装置と通信を行う画像処理装置が実用化されている。画像処理装置は，画像処理の命令を受け付ける操作パネルを有し，その操作パネルに操作画面を表示する。また，モバイル装置でも，画像処理装置に対して画像処理を命令するために必要な操作画面を表示する。
【０００３】
モバイル装置に操作画面を表示する技術としては，例えば特許文献１がある。特許文献１では，携帯電話機と通信する複合機であって，携帯電話機には操作画面を表示させ，複合機本体の操作パネルにはヘルプ画面等の携帯電話機とは異なる画面を表示させる構成が開示されている。
【先行技術文献】
【特許文献】
【０００４】
【特許文献１】特開２０１２−６１６６９号公報
【発明の概要】
【発明が解決しようとする課題】
【０００５】
しかしながら，前記した従来の技術には，次のような問題があった。すなわち，モバイル装置の操作画面は，ユーザの使い易さを考慮すると，画像処理装置の操作画面と同じ構成であることが望ましい。この場合，画像処理装置が実行可能な処理が全て選択できる画面を提供することになる。一方で，画像処理装置が実行する処理には，遠隔地にいるユーザからの指示による実行が好ましくない処理がある。
【０００６】
例えば，読み取りを伴う処理は，画像処理装置に原稿をセットする必要があるため，遠隔地にいるユーザが実行命令を入力しても読み取り開始までに時間がかかる。そして，読み取り完了までの長時間，他のユーザに対して画像処理装置の利用を制限してしまう。また，印刷を伴う処理も，画像処理装置に印刷物を取りに来るまでに時間がかかる。そのため，機密度が高い画像の印刷は，安全性が低くなる。
【０００７】
本発明は，前記した従来の技術が有する問題点を解決するためになされたものである。すなわちその課題とするところは，モバイル装置から画像処理装置に対する操作を行う際の，好適な操作画面を表示する技術を提供することにある。
【課題を解決するための手段】
【０００８】
この課題の解決を目的としてなされた画像処理装置は，モバイル装置と通信する通信部と，操作画面を表示する表示部と，画像処理を行う画像処理部と，制御部とを備え，前記制御部は，前記画像処理に対する操作を受け付ける第１の操作画面を，前記表示部に表示させる第１表示処理と，前記モバイル装置と通信を行う際，前記画像処理に対する操作のうち，特定の処理に対する操作を制限し，前記特定の処理以外の処理に対する操作を受け付ける第２の操作画面を，前記モバイル装置に表示させる第２表示処理とを実行することを特徴としている。
【０００９】
本明細書に開示される画像処理装置は，モバイル装置と通信が可能であり，モバイル装置からの画像処理に関する操作を受け付ける。そして，画像処理装置は，モバイル装置と通信を行う際，画像処理に対する操作のうち，特定の処理に対する操作を制限し，特定の処理以外の処理に対する操作を受け付ける第２の操作画面を，モバイル装置に表示させる。特定の処理としては，例えば，処理を開始するために画像処理装置に対してユーザの作業が必要な処理や，高い安全性が要求される処理が該当する。モバイル装置に第２の操作画面を表示させる方法としては，第２の操作画面を画像処理装置が生成し，当該第２の操作画面を送信してもよいし，特定の処理の種類をモバイル装置に送信し，モバイル装置に第２の操作画面を生成させてもよい。
【００１０】
すなわち，本明細書に開示される画像処理装置では，モバイル装置との通信時，画像処理装置の表示部に表示させる第１の操作画面と比較して，特定の処理に対する操作を制限した第２の操作画面を，通信相手のモバイル装置に表示させる。これにより，モバイル装置のユーザは不適切な処理の操作を行わなくて済み，操作画面の利便性の向上が期待できる。
【００１１】
また，前記制御部は，前記第２表示処理では，前記特定の処理に対する操作を非表示とすることで，前記特定の処理に対する操作を制限するとよい。特定の処理に対する操作を非表示とすることで，第２の操作画面のコンパクトな表示が可能になる。
【００１２】
また，前記制御部は，前記第２の操作画面を前記モバイル装置が表示中，前記第１の操作画面のうち，少なくとも前記特定の処理以外の処理に対する操作を制限する制限処理を実行するとよい。モバイル装置が第２の操作画面を表示中，画像処理装置では少なくともモバイル装置から操作が可能な処理の操作を制限する方が，モバイル装置からの操作との競合を避ける上で好ましい。
【００１３】
また，前記制御部は，前記第１の操作画面をユーザが操作中，前記第２表示処理を実行しないとよい。第１の操作画面をユーザが操作している間はモバイル装置から操作させない方が，モバイル装置からの操作との競合を避ける上で好ましい。
【００１４】
また，前記制御部は，前記モバイル装置と通信を行う際，前記モバイル装置との距離が閾値よりも長いか否かを判断する判断処理と，前記判断処理にて閾値よりも長くないと判断された場合に，前記特定の処理に対する操作を制限しない第３の操作画面を，前記モバイル装置に表示させる第３表示処理とを実行し，前記判断処理にて閾値よりも長いと判断された場合に，前記第２表示処理を実行するとよい。モバイル装置が画像処理装置の近傍にある場合には，ユーザは画像処理装置を直ぐに利用できる。そのため，モバイル装置への操作を制限する必要性が低いことから，特定の処理に対する操作を制限しない第３の操作画面をモバイル装置に表示させる方が好ましい。
【００１５】
また，前記画像処理には，原稿の画像を読み取る読取処理が含まれ，前記特定の処理には，前記読取処理を伴う処理が含まれるとよい。読取処理は，ユーザが画像処理装置に原稿をセットするまで処理が開始されないため，他のユーザの利用を長時間制限する可能性がある。そのため，実行を制限する方が好ましい。
【００１６】
また，前記画像処理には，記録紙に画像を形成する印刷処理が含まれ，前記特定の処理には，前記印刷処理を伴う処理が含まれるとよい。印刷処理は，ユーザが印刷物を取りに来るまで当該印刷物が画像処理装置に放置されることになるため，安全性が低い。そのため，実行を制限する方が好ましい。
【００１７】
また，前記画像処理には，画像データを外部装置に送信する送信処理が含まれ，前記特定の処理以外の処理には，前記送信処理の操作が含まれるとよい。送信処理は，ユーザが画像処理装置に行かなくても実行を開始でき，さらに画像データがシートに出力されない。そのため，実行を制限しない方が好ましい。なお，送信処理には，例えば，データの転送，ファクシミリ送信が該当する。
【００１８】
上記画像形成装置の機能を実現するための制御方法，コンピュータプログラム，および当該コンピュータプログラムを格納するコンピュータ読取可能な記憶媒体も，新規で有用である。
【発明の効果】
【００１９】
本発明によれば，モバイル装置から画像処理装置に対する操作を行う際の，好適な操作画面を表示する技術が実現される。
【図面の簡単な説明】
【００２０】
【図１】実施の形態にかかる画像処理システムの構成を示すブロック図である。
【図２】ＭＦＰの操作パネルのメイン画面を示す図である。
【図３】モバイル装置の操作部の非制限操作画面を示す図である。
【図４】第１の形態にかかるＭＦＰが実行するリモート通信処理の手順を示すフローチャートである。
【図５】ＭＦＰの操作パネルの印刷設定画面を示す図である。
【図６】モバイル装置の操作部の制限付操作画面を示す図である。
【図７】ＭＦＰの操作パネルの通知制限画面を示す図である。
【図８】第１の形態にかかるモバイル装置が実行するリモート要求処理の手順を示すフローチャートである。
【図９】第２の形態にかかるＭＦＰが実行するリモート通信処理の手順を示すフローチャートである。
【図１０】第２の形態にかかるモバイル装置が実行するリモート要求処理の手順を示すフローチャートである。
【発明を実施するための形態】
【００２１】
以下，本実施形態にかかる画像処理装置について，添付図面を参照しつつ詳細に説明する。本形態は，読取機能，印刷機能，および画像データの転送を行うファクシミリ機能を有する複合機（ＭＦＰ：Multi Function Peripheral）に本発明を適用したものである。
【００２２】
［画像処理システムの全体構成］
本形態の画像処理システム９００は，図１に示すように，ＭＦＰ１００と，モバイル装置２００とを備えている。ＭＦＰ１００と通信するデバイスは，図示されたモバイル装置２００の他にも何台接続されていてもよい。ＭＦＰ１００は，画像処理装置の一例である。モバイル装置２００としては，例えば，スマートフォンやタブレット型のＰＣが該当する。
【００２３】
本形態の画像処理システム９００では，モバイル装置２００とＭＦＰ１００との間で，無線通信によるデータの受け渡しが可能になっている。データの受け渡しは，不図示のアクセスポイントを介して行ってもよいし，装置間で直接行ってもよい。
【００２４】
［ＭＦＰの構成］
続いて，ＭＦＰ１００の概略構成について説明する。ＭＦＰ１００は，図１に示したように，ＣＰＵ３１と，ＲＯＭ３２と，ＲＡＭ３３と，ＮＶＲＡＭ（Non Volatile RAM）３４とを備えるコントローラ３０を有している。なお，図１中のコントローラ３０は，ＣＰＵ３１等，ＭＦＰ１００の制御に利用されるハードウェアを纏めた総称であって，実際にＭＦＰ１００に存在する単一のハードウェアと表すとは限らない。
【００２５】
ＲＯＭ３２には，ＭＦＰ１００を制御するための制御プログラムであるファームウェアや各種設定，初期値等が記憶されている。ＲＡＭ３３およびＮＶＲＡＭ３４は，各種制御プログラムが読み出される作業領域として，あるいはデータを一時的に記憶する記憶領域として利用される。
【００２６】
ＣＰＵ３１は，ＲＯＭ３２から読み出した制御プログラムや各種センサから送られる信号に従って，その処理結果をＲＡＭ３３またはＮＶＲＡＭ３４に記憶させながら，ＭＦＰ１００の各構成要素を制御する。ＣＰＵ３１は，制御部の一例である。なお，コントローラ３０が制御部の一例であってもよい。
【００２７】
また，ＭＦＰ１００は，シートに画像を印刷する画像形成部１０と，原稿の画像を読み取る画像読取部１１と，表示機能と入力機能とを兼ねる操作パネル４０と，ネットワークインターフェース３６と，電話回線インターフェース３７とを有し，これらがＣＰＵ３１によって制御される。
【００２８】
画像形成部１０は，カラー印刷が可能であってもモノクロ印刷のみが可能であってもよい。また，印刷方式についても，電子写真方式であってもインクジェット方式であってもよい。また，画像読取部１１は，カラースキャンが可能であってもモノクロスキャンのみが可能であってもよい。また，読取機構についても，ＣＣＤであってもＣＩＳであってもよい。画像形成部１０および画像読取部１１は，画像処理部の一例である。
【００２９】
ネットワークインターフェース３６は，有線あるいは無線によって，ネットワークに接続する外部装置と通信を行うためのハードウェアである。例えば本形態では，モバイル装置２００と無線通信が可能であり，ネットワークインターフェース３６は，ＩＥＥＥの８０２．１１の規格およびそれに準ずる規格に基づいて，ＷｉＦｉ方式での無線通信を可能にする構成を備えている。ＭＦＰ１００は，ネットワークインターフェース３６を介してモバイル装置２００から送信されるデータを受信する。さらに，ＭＦＰ１００は，ネットワークインターフェース３６を介してモバイル装置２００にデータを送信する。ネットワークインターフェース３６は，通信部の一例である。
【００３０】
電話回線インターフェース３７は，電話回線接続を制御するＮＣＵと，音声信号とデジタル信号との変調を行うモデムとを備え，電話回線を使用した通信を可能にするインターフェースである。ＭＦＰ１００は，電話回線インターフェース３７を介して外部装置との間でファクシミリ通信を行う。
【００３１】
操作パネル４０は，ＭＦＰ１００の外装に設けられ，図２に示すように，ユーザ入力を受け付ける各種のボタン群４１と，メッセージや各種の設定を表示するタッチパネル４２とを有している。各種のボタンとしては，例えば，テンキー，矢印キー，ＯＫボタン，キャンセルボタンがある。また，タッチパネル４２は，ユーザがタッチ操作することによっても入力が可能であり，例えば，各種の設定やユーザ情報がタッチパネルから入力される。タッチパネル４２は，表示部の一例である。
【００３２】
図２は，ＭＦＰ１００が有する複数の操作画面のうちメイン画面４２１をタッチパネル４２に表示させた状態を示している。メイン画面４２１では，ＭＦＰ１００にて実行可能な複数の処理が表示され，利用する処理の選択が可能である。具体的に本形態のメイン画面４２１では，コピー処理，スキャン処理，ファクシミリ送信処理，ファクシミリ印刷処理が選択対象となる。メイン画面４２１は，第１の操作画面の一例である。
【００３３】
なお，コピー処理は，原稿を読み取り，読み取った画像を印刷する処理である。スキャン処理は，原稿を読み取り，読み取った画像のファイルを生成する処理である。ファクシミリ送信処理は，原稿を読み取り，読み取った画像を電話回線を介して外部装置に送信する処理である。ファクシミリ印刷処理は，ＮＶＲＡＭ３４に記憶されているデータであってファクシミリ通信によって受け付けたデータを印刷する処理である。すなわち，ＭＦＰ１００は，ファクシミリ通信によって受信したデータを直ぐには印刷せず，受信したデータをＮＶＲＡＭ３４に一時的に記憶しておき，ユーザからの指示を待って印刷する機能を有している。
【００３４】
［モバイル装置の構成］
続いて，モバイル装置２００の概略構成について説明する。図１に示したように，モバイル装置２００は，各種処理を実行するＣＰＵ５１と，当該モバイル装置２００の起動時にＣＰＵ５１が行う起動処理のプログラム（ＢＩＯＳ）等を記憶したＲＯＭ５２と，ＣＰＵ５１が各種処理を行う際に一時的な記憶領域として利用されるＲＡＭ５３と，各種のプログラムやデータを記憶したハードディスクドライブ（ＨＤＤ）５４とを有するコントローラ５０を備えている。なお，図１中のコントローラ５０は，ＣＰＵ５１等，モバイル装置２００の制御に利用されるハードウェアを纏めた総称であって，実際にモバイル装置２００に存在する単一のハードウェアを表すとは限らない。
【００３５】
また，モバイル装置２００は，表示機能と入力機能とを兼ねる操作部６０と，無線ＬＡＮインターフェース５５と，電話部７０と，ＧＰＳ受信部８０とを有し，これらがコントローラ５０によって制御される。
【００３６】
操作部６０は，図３に示すように，モバイル装置２００の前面に設けられ，ユーザ入力を受け付ける各種のボタン６１と，メッセージや各種の設定を表示するタッチパネル６２とを有している。また，タッチパネル６２は，ユーザがタッチ操作することによっても入力が可能であり，例えば，画像を印刷させるジョブや画像を読み取らせるジョブがタッチパネルへの操作によって入力される。モバイル装置２００で表示される操作画面６２１は，ユーザの使い勝手を考慮して，ＭＦＰ１００と同様のレイアウトとなる。
【００３７】
無線ＬＡＮインターフェース５５は，外部装置との通信を可能にするハードウェアである。モバイル装置２００は，無線ＬＡＮインターフェース５５を介して，ＭＦＰ１００に対してジョブの送信を行う。無線ＬＡＮインターフェース５５は，ＭＦＰ１００の操作や，アクセスポイントを介したインターネット接続などに用いられる。
【００３８】
電話部７０は，マイク，スピーカ，電話回線インターフェース等，電話機能を実現するためのハードウェアで構成される，不図示の基地局との間で携帯電話の通信方式（例えば，Ｗ−ＣＤＭＡ）に準ずる規格に基づいて，無線通信を可能にするインターフェースである。電話部７０は，電話や，基地局を介したインターネット接続などに用いられる。
【００３９】
ＧＰＳ受信部８０は，ＧＰＳ（Global Positioning System）を構成する人工衛星から送信された電波を受信するハードウェアである。ＧＰＳ受信部８０は，受信した信号に基づきモバイル装置２００の現在位置に関する情報，すなわち緯度，経度，標高を含む情報を取得できる。
【００４０】
また，モバイル装置２００のＨＤＤ５４には，ＯＳや，インターネット上のファイルを閲覧するためのブラウザ，各種のデバイスを制御するデバイスドライバ等が組み込まれている。また，ＭＦＰ１００に印刷，読み取り，データ転送等を実行させるジョブを受け付けるアプリケーションプログラム（以下，「アプリ」とする）も記憶されている。データ転送には，ファクシミリ通信によるデータの送信も含まれる。
【００４１】
ＣＰＵ５１は，ＲＯＭ５２から読み出した制御プログラムやＨＤＤ５４から読み出したプログラムに従って，その演算結果をＲＡＭ５３またはＨＤＤ５４に記憶させながら各種の処理を行う。上述したアプリの動作も，ＣＰＵ５１によって処理される。
【００４２】
［ＭＦＰの動作］
［リモート通信の概要］
続いて，ＭＦＰ１００がモバイル装置２００とリモート通信を行うための動作について説明する。ＭＦＰ１００は，モバイル装置２００との間でリモート通信を行うため，モバイル装置２００からの通信を許可する状態であるセッションを形成する。
【００４３】
具体的に，モバイル装置２００からＭＦＰ１００を利用する場合，モバイル装置２００ではＭＦＰ１００を制御するためのアプリを起動させる。モバイル装置２００は，そのアプリを介してＭＦＰ１００の利用開始の要求を受け付け，当該要求を受け付けると，ＭＦＰ１００に対してセッションの形成要求を送信する。そして，モバイル装置２００は，セッションが形成されると，ＭＦＰ１００に対する各種の処理の実行要求を受け付ける。
【００４４】
ＭＦＰ１００は，モバイル装置２００からセッションの形成要求を受け付けると，モバイル装置２００との通信を許可する条件を満たした場合にセッションを形成する。なお，ＭＦＰ１００は，他の装置との間でセッションが形成されていない場合や，セッションの形成が制限されていない場合には，モバイル装置２００との通信を許可する。
【００４５】
ＭＦＰ１００は，モバイル装置２００とセッションが形成されている間，モバイル装置２００からのジョブを受け付ける。換言すると，ＭＦＰ１００は，モバイル装置２００との間でセッションが形成されていない場合，モバイル装置２００からのジョブを受け付けない。また，ＭＦＰ１００は，セッションを形成すると，操作パネル４０への入力を許可せず，操作パネル４０を介してのジョブの入力を受け付けない。
【００４６】
モバイル装置２００は，アプリを介してＭＦＰ１００の利用対象の処理が選択される。ＭＦＰ１００は，コピー処理，スキャン処理，ファクシミリ送信処理，ファクシミリ印刷処理が可能であり，これらの中から選択される。モバイル装置２００は，利用対象の処理が選択された後，ジョブが入力されると，当該ジョブの実行要求をＭＦＰ１００に送信する。ＭＦＰ１００は，モバイル装置２００からジョブの実行要求を受け付けると，そのジョブの実行を開始する。
【００４７】
また，ＭＦＰ１００は，モバイル装置２００からセッションの解除要求を受け付けると，セッションを解除する。これにより，他の装置に対するＭＦＰ１００の利用制限が解除される。また，操作パネル４０を介してのジョブの入力制限も解除される。なお，モバイル装置２００からのセッションの解除要求の他，ＭＦＰ１００からモバイル装置２００への問合せに対する応答が無い場合，一定期間以上モバイル装置２００からの要求が無い場合，ＭＦＰ１００に直接に解除要求が入力された場合には，ＭＦＰ１００が自主的にセッションを解除する。
【００４８】
［リモート通信の手順］
続いて，前述したリモート通信を実現するＭＦＰ１００およびモバイル装置２００の動作について，それぞれ説明する。
【００４９】
［第１の形態］
［リモート通信処理］
始めに，第１の形態のＭＦＰ１００の動作として，外部装置からの要求を受け付けて画像処理を実行するリモート通信処理について，図４のフローチャートを参照しつつ説明する。リモート通信処理は，外部装置からのセッションの形成要求を受け付けたことを契機に，ＣＰＵ３１によって実行される。なお，以下のリモート通信処理の説明では，外部装置としてモバイル装置２００から形成要求を受け付けたものとして説明する。
【００５０】
リモート通信処理では，ＭＦＰ１００は先ず，ユーザがＭＦＰ１００を操作中であるか否かを判断する（Ｓ１０１）。ＭＦＰ１００は，ユーザが操作をしていない初期状態では，タッチパネル４２にメイン画面４２１（図２参照）を表示している。そして，タッチパネル４２にて表示される画面は，ユーザが操作を始めることで，メイン画面４２１以外の画面に遷移する。例えば，メイン画面４２１からユーザがコピーを選択すると，ＭＦＰ１００はタッチパネル４２に図５に示すようなコピーの設定用の操作画面４２２を表示させる。そして，ＭＦＰ１００は，コピーの実行指示ないしキャンセル指示が入力される，あるいは所定時間以上無操作の状態が継続すると，メイン画面４２１に戻す。すなわち，Ｓ１０１では，ＭＦＰ１００は，タッチパネル４２の画面がメイン画面４２１以外の操作画面であれば，ユーザがＭＦＰ１００を操作中であると判断する。
【００５１】
ＭＦＰ１００が操作中であった場合には（Ｓ１０１：ＹＥＳ），自装置への直接操作と，モバイル装置２００からのリモート操作との競合を避けるため，ＭＦＰ１００はセッションの形成を拒否する。そこで，ＭＦＰ１００は，セッションを形成せず，モバイル装置２００に対してエラーを通知する（Ｓ１１１）。なお，Ｓ１１１では，ＭＦＰ１００がエラー画面を生成し，当該エラー画面をモバイル装置２００に送信してもよい。Ｓ１１１の後は，リモート通信処理を終了する。
【００５２】
一方，ＭＦＰ１００が操作中でなかった場合（Ｓ１０１：ＮＯ），ＭＦＰ１００は，モバイル装置２００とのセッションを形成する（Ｓ１０２）。これにより，モバイル装置２００との通信が確立される。
【００５３】
Ｓ１０２の後，ＭＦＰ１００は，セッションの形成要求元であるモバイル装置２００がＭＦＰ１００から遠隔地にあるか否かを判断する（Ｓ１０３）。具体的にＳ１０３では，例えば，ＭＦＰ１００からモバイル装置２００に対して位置情報の送信を要求し，モバイル装置２００からＧＰＳ受信部８０に基づく位置情報を取得し，自装置との距離が所定値より長ければ，遠隔地にあると判断する。あるいは，モバイル装置２００の応答速度に基づいて判断してもよいし，モバイル装置２００との間のホップ数に基づいて判断してもよいし，無線通信の電波強度に基づいて判断してもよい。ここで，モバイル装置２００とＭＦＰ１００との距離が遠隔地か否かの判断基準としては，所定距離または距離に相当する電波強度等の基準値がデフォルトとして設定されていてもよいし，ユーザによってその基準値を変更できてもよい。
【００５４】
モバイル装置２００が遠隔地にある場合（Ｓ１０３：ＹＥＳ），ＭＦＰ１００は，モバイル装置２００に提供する操作画面として，特定の処理に関する操作の受け付けを制限した制限付操作画面を生成する（Ｓ１２１）。特定の処理としては，例えば，処理を開始するために画像処理装置に対してユーザの作業が必要な処理（例えば，スキャンやコピー）や，高い安全性が要求される処理（例えば，ファクシミリ印刷）が該当する。また，あらかじめユーザによって選択された特定の処理をＭＦＰ１００に記憶させておいてもよい。
【００５５】
図６は，制限付操作画面６２２の構成を示している。制限付操作画面６２２では，ＭＦＰ１００に表示させるメイン画面４２１（図２参照）と同様に，ＭＦＰ１００が実行可能な複数の処理が表示され，利用する処理の選択が可能である。また，本形態では，特定の処理をファクシミリ印刷とする。ファクシミリ印刷は，外部装置からの受信した情報を印刷するため，重要度が高い傾向にあるためである。制限付操作画面６２２では，ファクシミリ印刷が利用不可であることをユーザが把握できるように，他の処理と区別して表示する。本形態では，特定の処理であるファクシミリ印刷を非表示とする。なお，この他，グレーアウト表示，「×」マーク等の特定のマークを付加した表示，実行不可である旨のメッセージを付加した表示等であってもよい。制限付操作画面６２２は，第２の操作画面の一例である。
【００５６】
制限付操作画面６２２を生成した後，ＭＦＰ１００は，モバイル装置２００に対して制限付操作画面６２２を送信する（Ｓ１２２）。制限付操作画面６２２を受信したモバイル装置２００は，タッチパネル６２に制限付操作画面６２２を表示させ，制限されていない処理についてのジョブの入力を受け付ける。Ｓ１２１およびＳ１２２は，第２表示処理の一例である。
【００５７】
一方，モバイル装置２００が遠隔地にない，すなわちモバイル装置２００がＭＦＰ１００の近傍にある場合（Ｓ１０３：ＮＯ），ＭＦＰ１００は，モバイル装置２００に提供する操作画面として，図３に示したような特定の処理に関する操作の受け付けを制限しない非制限操作画面６２１を生成する（Ｓ１０４）。非制限操作画面６２１では，特定の処理を選択不可にしないことから，ＭＦＰ１００が実行可能な複数の処理が全て選択可能である。そのため，ＭＦＰ１００に表示させるメイン画面４２１（図２参照）と同様のレイアウトとなる。
【００５８】
非制限操作画面６２１を生成した後，ＭＦＰ１００は，モバイル装置２００に対して非制限操作画面６２１を送信する（Ｓ１０５）。非制限操作画面６２１を受信したモバイル装置２００は，タッチパネル６２に非制限操作画面６２１を表示させ，ＭＦＰ１００が実行可能な全ての処理の操作を受け付ける。Ｓ１０４およびＳ１０５は，第３表示処理の一例である。
【００５９】
Ｓ１０５あるいはＳ１２２の後，図７に示すように，ＭＦＰ１００はリモート通信中であることを通知するとともに自装置への入力を制限する通知制限画面４２３を，タッチパネル４２に表示させる（Ｓ１０６）。通知制限画面４２３では，タッチパネル４２を介した全ての処理の入力を制限する。これにより，ＭＦＰ１００では，リモート通信中，操作パネル４０を介しての入力が制限される。Ｓ１０６は，制限処理の一例である。なお，通知制限画面４２３では，セッションを強制解除する命令を受け付けるボタンを表示してもよい。
【００６０】
Ｓ１０６の後，ＭＦＰ１００は，セッション形成中の外部装置であるモバイル装置２００からのジョブを受け付けたか否かを判断する（Ｓ１３１）。ジョブを受け付けた場合（Ｓ１３１：ＹＥＳ），ＭＦＰ１００は，受け付けたジョブを実行する（Ｓ１３２）。なお，モバイル装置２００がＭＦＰ１００から遠隔地にある場合には，特定の処理に関するジョブの入力が制限されるため，結果としてＭＦＰ１００での特定の処理の実行が制限される。
【００６１】
Ｓ１３２の後，あるいはジョブを受け付けていない場合には（Ｓ１３１：ＮＯ），ＭＦＰ１００はセッションを解除する解除条件を満たしたか否かを判断する（Ｓ１３３）。解除条件としては，例えば，直近のジョブの終了から所定時間が経過したこと，モバイル装置２００からセッションの解除要求を受け付けたことが該当する。
【００６２】
解除条件を満たしていない場合には（Ｓ１３３：ＮＯ），Ｓ１３１に移行して，ジョブの受信あるいは解除条件が満たされるのを待つ。解除条件を満たす場合には（Ｓ１３３：ＹＥＳ），ＭＦＰ１００はモバイル装置２００との間のセッションを解除する（Ｓ１４１）。
【００６３】
さらに，ＭＦＰ１００はタッチパネル４２にメイン画面４２１を表示させる（Ｓ１４２）。これにより，ＭＦＰ１００は，操作パネル４０を介しての入力制限を解除する。Ｓ１４２は，第１表示処理の一例である。Ｓ１４２の後，リモート通信処理を終了する。
【００６４】
［リモート要求処理］
続いて，第１の形態のモバイル装置２００の動作として，ＭＦＰ１００に対してジョブを要求するリモート要求処理について，図８のフローチャートを参照しつつ説明する。リモート要求処理は，モバイル装置２００がユーザからリモート通信の実行要求を受け付けたことを契機に，ＣＰＵ５１によって実行される。
【００６５】
リモート要求処理では，モバイル装置２００は先ず，ＭＦＰ１００に対してセッションの形成要求を送信する（Ｓ１５１）。Ｓ１５１の後，モバイル装置２００はセッションが形成されたか否かを判断する（Ｓ１５２）。セッションが形成されなかった場合（Ｓ１５２：ＮＯ），モバイル装置２００はＭＦＰ１００からエラー通知を受信することから，エラー画面をタッチパネル６２に表示させる（Ｓ１６１）。Ｓ１６１の後は，リモート要求処理を終了する。
【００６６】
セッションが形成された場合（Ｓ１５２：ＹＥＳ），モバイル装置２００はＭＦＰ１００から制限付操作画面６２２あるいは非制限操作画面６２１を受信することから，受信した操作画面をタッチパネル６２に表示させる（Ｓ１５３）。
【００６７】
Ｓ１５３の後，モバイル装置２００は，ＭＦＰ１００に対して要求するジョブが操作画面を介して入力されたか否かを判断する（Ｓ１７１）。ジョブが入力された場合（Ｓ１７１：ＹＥＳ），モバイル装置２００は，入力されたジョブをＭＦＰ１００に送信する（Ｓ１７２）。
【００６８】
Ｓ１７２の後，あるいはジョブが入力されていない場合には（Ｓ１７１：ＮＯ），モバイル装置２００はセッションを解除する解除条件を満たしたか否かを判断する（Ｓ１７３）。解除条件としては，例えば，セッションの解除要求を受け付けたことが該当する。
【００６９】
解除条件を満たしていない場合には（Ｓ１７３：ＮＯ），Ｓ１７１に移行して，ジョブの入力あるいは解除条件が満たされるのを待つ。解除条件を満たす場合には（Ｓ１７３：ＹＥＳ），モバイル装置２００はＭＦＰ１００との間のセッションを解除する解除要求をＭＦＰ１００に送信する（Ｓ１８１）。さらに，モバイル装置２００は操作部６０にセッションを解除した旨を表示させるとともに操作画面を消去させる（Ｓ１８２）。これにより，モバイル装置２００は，ＭＦＰ１００とのリモート通信が終了する。Ｓ１８２の後，リモート要求処理を終了する。
【００７０】
以上詳細に説明したように第１の形態では，ＭＦＰ１００が遠隔地のモバイル装置２００とリモート通信を行う際，特定の処理に対する操作を制限した制限付操作画面６２２を，モバイル装置２００に表示させる。これにより，モバイル装置２００のユーザは不適切な処理の操作を行わなくて済み，操作画面の利便性の向上が期待できる。
【００７１】
［第２の形態］
［リモート通信処理］
続いて，第２の形態のリモート通信処理について，図９のフローチャートを参照しつつ説明する。第２の形態では，モバイル装置２００用の操作画面をモバイル装置２００が生成する。この点，ＭＦＰ１００がモバイル装置２００用の操作画面を生成する第１の形態と異なる。なお，第２の形態の説明中，第１の形態と同じ処理については，同じ符号を付して説明を省略する。
【００７２】
第２の形態のリモート通信処理では，ＭＦＰ１００は先ず，ユーザがＭＦＰ１００を操作中であるか否かを判断する（Ｓ１０１）。ＭＦＰ１００が操作中であった場合には（Ｓ１０１：ＹＥＳ），モバイル装置２００に対してエラーを通知し（Ｓ１１１），リモート通信処理を終了する。
【００７３】
一方，ＭＦＰ１００が操作中でなかった場合（Ｓ１０１：ＮＯ），ＭＦＰ１００は，モバイル装置２００とのセッションを形成する（Ｓ１０２）。そして，ＭＦＰ１００は，モバイル装置２００がＭＦＰ１００から遠隔地にあるか否かを判断する（Ｓ１０３）。
【００７４】
モバイル装置２００が遠隔地にある場合（Ｓ１０３：ＹＥＳ），ＭＦＰ１００は，モバイル装置２００から操作可能な画像処理のうち，特定の処理の実行を制限した制限付処理一覧を，モバイル装置２００に送信する（Ｓ２２２）。Ｓ２２２は，第２表示処理の一例である。一方，モバイル装置２００が遠隔地にない場合（Ｓ１０３：ＮＯ），ＭＦＰ１００は，特定の処理の実行を制限しない非制限処理一覧を，モバイル装置２００に送信する（Ｓ２０５）。Ｓ２０５は，第３表示処理の一例である。
【００７５】
Ｓ２０５あるいはＳ２２２の後，ＭＦＰ１００は通知制限画面４２３をタッチパネル４２に表示させる（Ｓ１０６）。Ｓ１０６の後，ＭＦＰ１００は，セッション形成中の外部装置であるモバイル装置２００からのジョブを受け付けたか否かを判断する（Ｓ１３１）。Ｓ１３１以降の処理は，第１の形態と同様であり，説明を省略する。
【００７６】
［リモート要求処理］
続いて，第２の形態のリモート要求処理について，図１０のフローチャートを参照しつつ説明する。
【００７７】
リモート要求処理では，モバイル装置２００は先ず，ＭＦＰ１００に対してセッションの形成要求を送信する（Ｓ１５１）。Ｓ１５１の後，モバイル装置２００はセッションが形成されたか否かを判断する（Ｓ１５２）。セッションが形成されなかった場合（Ｓ１５２：ＮＯ），モバイル装置２００はエラー画面をタッチパネル６２に表示させ（Ｓ１６１），リモート要求処理を終了する。
【００７８】
セッションが形成された場合（Ｓ１５２：ＹＥＳ），モバイル装置２００はモバイル装置２００はＭＦＰ１００から制限付処理一覧あるいは非制限処理一覧を受信することから，受信した処理一覧に基づく操作画面を生成する（Ｓ２５２）。すなわち，制限付処理一覧を受信した場合には，特定の処理に関する操作の受け付けを制限した制限付操作画面６２２を生成する。一方，非制限処理一覧を受信した場合には，特定の処理に関する操作の受け付けを制限しない非制限操作画面６２１を生成する。操作画面を生成した後，モバイル装置２００は当該操作画面をタッチパネル６２に表示させる（Ｓ２５３）。
【００７９】
Ｓ２５３の後，モバイル装置２００は，ＭＦＰ１００に対して要求するジョブが操作画面を介して入力されたか否かを判断する（Ｓ１７１）。Ｓ１７１以降の処理は，第１の形態と同様であり，説明を省略する。
【００８０】
以上詳細に説明したように第２の形態でも，ＭＦＰ１００が遠隔地のモバイル装置２００とリモート通信を行う際，特定の処理に対する操作を制限した制限付操作画面６２２を，モバイル装置２００に表示させる。これにより，操作画面の利便性の向上が期待できる。また，第２の形態では，モバイル装置２００に実行を許可する処理の一覧を通知し，モバイル装置２００が操作画面を生成することから，モバイル装置２００との間の通信量が第１の形態と比較して少なくて済む。一方で，第１の形態では，ＭＦＰ１００がモバイル装置２００用の操作画面を生成するため，モバイル装置２００ごとに画面のレイアウトが異なる等の，操作性が低下するリスクが少ない。
【００８１】
なお，本実施の形態は単なる例示にすぎず，本発明を何ら限定するものではない。したがって本発明は当然に，その要旨を逸脱しない範囲内で種々の改良，変形が可能である。例えば，画像処理装置は，画像処理を行う機能を少なくとも１つを有していればよく，ＭＦＰの他，例えば，プリンタ，スキャナ，ファクシミリ装置，コピー機であってもよい。
【００８２】
また，実施の形態では，無線通信としてＷｉＦｉを採用しているが，無線通信の種類はこれらに限るものではない。例えば，ＮＦＣ，Bluetooth（登録商標），TransferJetであってもよい。また，実施の形態では，ＭＦＰ１００が外部装置と無線通信によって接続しているが，有線接続であってもよい。
【００８３】
また，実施の形態では，ユーザがＭＦＰ１００を操作している間，モバイル装置２００とのセッションを形成していないが，セッションを形成してもよい。ただし，セッションを形成しない方が，モバイル装置２００からの要求と操作パネル４０からの要求との競合を回避する上で好ましい。
【００８４】
また，実施の形態では，モバイル装置２００とのセッションが形成されている間，ＭＦＰ１００では，タッチパネル４２に通知制限画面４２３を表示させ，タッチパネル４２からの入力を制限しているが，メイン画面４２１のまま各種の処理の入力を受け付けてもよい。ただし，通知制限画面４２３を表示する方が，モバイル装置２００からの要求と操作パネル４０からの要求との競合を回避する上で好ましい。
【００８５】
また，実施の形態では，通知制限画面４２３にてタッチパネル４２を介した全ての処理の入力を制限しているが，少なくともモバイル装置２００で入力可能な処理の操作を制限すればよく，モバイル装置２００と競合しない処理については許可してもよい。例えば，モバイル装置２００で画像読取部１１を利用する処理が制限されているのであれば，通知制限画面４２３としてスキャンの入力を許可する画面を表示してもよい。
【００８６】
また，実施の形態では，モバイル装置２００がＭＦＰ１００の近傍にある場合には，特定の処理を制限しない非制限操作画面６２１をモバイル装置２００に表示させているが，モバイル装置２００との距離に拘らず，制限付操作画面６２２を表示させてもよい。これにより，より確実にモバイル装置２００のユーザによる不適切な処理の操作を回避できる。ただし，モバイル装置２００がＭＦＰ１００の近傍にある場合には，ユーザはＭＦＰ１００を直ぐに利用できる。そのため，モバイル装置２００への操作を制限する必要性が低いことから，特定の処理に対する操作を制限しない非制限操作画面６２１をモバイル装置２００に表示させる方が利便性がよい。
【００８７】
また，実施の形態では，モバイル装置２００がＭＦＰ１００から遠隔地にあるか否かによって制限するか否かを決定しているが，モバイル装置２００との距離や電波強度に応じて制限される処理が異なる構成であってもよい。すなわち，処理ごとに，制限される距離や電波強度が異なってもよい。
【００８８】
また，実施の形態では，ファクシミリ印刷を特定の処理としているが，特定の処理はこれに限るものではない。例えば，読み取りは，原稿がセットされるまで処理が開始されないため，他のユーザの利用を長期間制限する可能性がある。そこで，コピーやスキャン等，読み取りを伴う処理を特定の処理としてもよい。また，印刷は，印刷物が放置されることになるため，安全性が低い。そこで，コピーやファクシミリ印刷等，印刷を伴う処理を特定の処理としてもよい。一方で，ファクシミリ送信やデータ転送等，データを送信する送信処理は，ユーザがＭＦＰ１００に行かなくても実行を開始でき，さらに画像データがシートに出力されない。そのため，実行を制限しない方が好ましい。
【００８９】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００９０】
３６    ネットワークインターフェース
４２    タッチパネル
６０    操作部
１００  ＭＦＰ
２００  モバイル装置
４２１  メイン画面
４２３  通知制限画面
６２１  非制限操作画面
６２２  制限付操作画面
９００  画像処理システム
【図１】
0006405741.tif 000002
【図２】
0006405741.tif 000003
【図３】
0006405741.tif 000004
【図４】
0006405741.tif 000005
【図５】
0006405741.tif 000006
【図６】
0006405741.tif 000007
【図７】
0006405741.tif 000008
【図８】
0006405741.tif 000009
【図９】
0006405741.tif 000010
【図１０】
0006405741.tif 000011